【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
第１バリア層；
第１バリア層から離隔するように第１バリア層の上方に配置される第２バリア層；および
流体移送手段；
を含み、
第１バリア層および第２バリア層が、入口および出口を有する流体通路を少なくとも部分的に規定しており、また
流体移送手段は、該出口に接続され、入口圧力よりも低い出口圧力を供するように操作することができるようになっており、該流体通路を通るように流体を該入口から該出口へと移動させる
ジオテクニカル・バリア。
【請求項２】
第１バリア層を第２バリア層から離隔させるスペーサ手段を含む、請求項１に記載のジオテクニカル・バリア。
【請求項３】
スペーサ手段が、少なくとも１種類の非合成材料から成る排出層を有して成る、請求項２に記載のジオテクニカル・バリア。
【請求項４】
スペーサ手段が、ジオシンセティック材料から成る、請求項２に記載のジオテクニカル・バリア。
【請求項５】
スペーサ手段が、プラスチック材料から形成される、突起部を有するメンブレンを有して成る、請求項４に記載のジオテクニカル・バリア。
【請求項６】
第１バリア層および第２バリア層が、非合成地質材料を含んで成る、請求項１〜５のいずれかに記載のジオテクニカル・バリア。
【請求項７】
第１バリア層および第２バリア層が、ジオシンセティック材料を含んで成る、請求項１〜５のいずれかに記載のジオテクニカル・バリア。
【請求項８】
第１バリア層および第２バリア層の少なくとも一方が、ジオコンポジット・バリア層である、請求項７に記載のジオテクニカル・バリア。
【請求項９】
ジオコンポジット・バリア層がジオコンポジット粘土ライナーを有して成り、その粘土層が流体通路と流体連通状態にある、請求項８に記載のジオテクニカル・バリア。
【請求項１０】
流体が空気を含んで成る、請求項１〜９のいずれかに記載のジオテクニカル・バリア。
【請求項１１】
流体通路の入口にて接続されるエントレインメント手段を含み、それによって、入口で供される空気ストリームに物質を同伴させ、空気と該物質とから成る混合物を含んで成る流体が流体通路を通るように移動させる、請求項１〜９のいずれかに記載のジオテクニカル・バリア。
【請求項１２】
物質が水である、請求項１１に記載のジオテクニカル・バリア。
【請求項１３】
流体通路の入口で導入される流体の温度を制御する温度制御手段を含む、請求項１〜１２のいずれかに記載のジオテクニカル・バリア。
【請求項１４】
出口には、出口で取り出された流体およびその中の同伴された汚染物質を処理する処理手段が接続されている、請求項１〜１３のいずれかに記載のジオテクニカル・バリア。
【請求項１５】
ジオテクニカル・バリアを形成および操作する方法であって、
第１バリア層を供すること；
第１バリア層から離隔するように第１バリア層の上方に配置される第２バリア層を供し、第１バリア層および第２バリア層によって、入口および出口を有する流体通路を少なくとも部分的に規定すること；および
入口圧力よりも低い出口圧力を供し、それによって、該流体通路を通るように入口から出口へと流体を移動させること
を含む方法。
【請求項１６】
第１バリア層を第２バリア層から離隔させるスペーサ手段を供することを含む、請求項１５に記載の方法。
【請求項１７】
スペーサ手段が、少なくとも１種類の非合成材料から成る排出層を有して成る、請求項１６に記載の方法。
【請求項１８】
スペーサ手段が、ジオシンセティック材料から成る、請求項１６に記載の方法。
【請求項１９】
スペーサ手段が、プラスチック材料から形成される、突起部を有するメンブレンを有して成る、請求項１８に記載の方法。
【請求項２０】
第１バリア層および第２バリア層が、非合成地質材料を含んで成る、請求項１５〜１９のいずれかに記載の方法。
【請求項２１】
第１バリア層および第２バリア層が、ジオシンセティック材料を含んで成る、請求項１５〜１９のいずれかに記載の方法。
【請求項２２】
第１バリア層および第２バリア層の少なくとも一方が、ジオコンポジット・バリア層である、請求項２１に記載の方法。
【請求項２３】
ジオコンポジット・バリア層がジオコンポジット粘土ライナーを有して成り、その粘土層が流体通路と流体連通状態にある、請求項２２に記載の方法。
【請求項２４】
流体が空気を含んで成る、請求項１５〜２３のいずれかに記載の方法。
【請求項２５】
入口で供される空気ストリーム内に物質を同伴させ、それによって、空気と該物質とから成る混合物を含んで成る流体を流体通路を通して移動させることを含む、請求項１５〜２４のいずれかに記載の方法。
【請求項２６】
物質が水である、請求項２５に記載の方法。
【請求項２７】
流体通路の入口で導入される流体の温度を制御することを含む、請求項１５〜２６のいずれかに記載の方法。
【請求項２８】
出口にて取り出された流体およびその中の同伴された汚染物質を処理する工程を含む、請求項１５〜２７のいずれかに記載の方法。
【請求項２９】
第１ジオシンセティック・バリア層；
第２ジオシンセティック・バリア層；
第１ジオシンセティック・バリア層と第２ジオシンセティック・バリア層とによって入口と出口とを有する流体通路が規定されるように、第１ジオシンセティック・バリア層と第２ジオシンセティック・バリア層との間に配置され、該第１ジオシンセティック・バリア層と該第２ジオシンセティック・バリア層とを離隔させるスペーサ手段；および
該流体通路を通して入口から出口へと流体を移動させる流体移送手段
を有して成る、ジオシンセティック・バリア。
【請求項３０】
第１ジオシンセティック・バリア層がジオシンセティック・メンブレンを有して成る、請求項２９に記載のジオシンセティック・バリア。
【請求項３１】
第２ジオシンセティック・バリア層がジオシンセティック・メンブレンを有して成る、請求項３０に記載のジオシンセティック・バリア。
【請求項３２】
第２ジオシンセティック・バリア層は、第２ジオシンセティック・メンブレンと粘土ライナーを含んで成るジオコンポジット粘土ライナーを有して成り、
粘土ライナーが、第１ジオシンセティック・メンブレンと第２ジオシンセティック・メンブレンとの間に配置されており、また
第１ジオシンセティック・メンブレンと第２ジオシンセティック・メンブレンとを離隔するように、第１ジオシンセティック・メンブレンと粘土ライナーとの間にスペーサ手段が配置されており、それによって、第１ジオシンセティック・メンブレンと粘土ライナーとの間に流体通路が規定される、
請求項３０に記載のジオシンセティック・バリア。
【請求項３３】
第２ジオシンセティック・メンブレンが、第１ジオシンセティック・メンブレンの上方に配置されている、請求項３１または３２に記載のジオシンセティック・バリア。
【請求項３４】
第１ジオシンセティック・メンブレンおよび第２ジオシンセティック・メンブレンは、
相互に周囲が封止されている、請求項３３に記載のジオシンセティック・バリア。
【請求項３５】
スペーサ手段が、少なくとも１種類の非合成材料から成る排水層を有して成る、請求項２９〜３４のいずれかに記載のジオシンセティック・バリア。
【請求項３６】
スペーサ手段が、ジオシンセティック材料から成る、請求項２９〜３４のいずれかに記載のジオシンセティック・バリア。
【請求項３７】
スペーサ手段が、プラスチック材料から形成される、突起部を有するメンブレンを有して成る、請求項３６に記載のジオシンセティック・バリア。
【請求項３８】
流体移送手段が、流体通路の出口に接続され、入口圧力よりも低い出口圧力を供するように操作できるようになっており、それによって、該流体通路を通るように該入口から該出口へと流体を移動させる、請求項２９〜３７のいずれかに記載のジオシンセティック・バリア。
【請求項３９】
流体が空気を含んで成る、請求項２９〜３８のいずれかに記載のジオシンセティック・バリア。
【請求項４０】
流体通路の入口にて接続されるエントレインメント手段を含み、それによって、入口で供される空気ストリームに物質を同伴させ、空気と該物質とから成る混合物を含んで成る流体を流体通路を通るように移動させる、請求項２９〜３９のいずれかに記載のジオシンセティック・バリア。
【請求項４１】
物質が水である、請求項４０に記載のジオシンセティック・バリア。
【請求項４２】
流体通路の入口で導入される流体の温度を制御する温度制御手段を含む、請求項２９〜４１のいずれかに記載のジオシンセティック・バリア。
【請求項４３】
出口には、出口で取り出された流体およびその中の同伴された汚染物質を処理する処理手段が接続されている、請求項２９〜４２のいずれかに記載のジオシンセティック・バリア。
【請求項４４】
ジオシンセティック・バリアを形成および操作する方法であって、
第１ジオシンセティック・バリア層を供すること；
第２ジオシンセティック・バリア層を供すること；
第１ジオシンセティック・バリア層と第２ジオシンセティック・バリア層とによって入口と出口とを有する流体通路が規定されるように、第１ジオシンセティック・バリア層と第２ジオシンセティック・バリア層との間に配置され、該第１ジオシンセティック・バリア層と該第２ジオシンセティック・バリア層とを離隔させるスペーサ手段を供すること；および
該流体通路を通るように入口から出口へと流体を移動させること
を含む、方法。
【請求項４５】
第１ジオシンセティック・バリア層がジオシンセティック・メンブレンを有して成る、請求項４４に記載の方法。
【請求項４６】
第２ジオシンセティック・バリア層がジオシンセティック・メンブレンを有して成る、請求項４５に記載の方法。
【請求項４７】
第２ジオシンセティック・バリア層は、第２ジオシンセティック・メンブレンと粘土ライナーを含んで成るジオコンポジット粘土ライナーを有して成り、
第１ジオシンセティック・メンブレンと第２ジオシンセティック・メンブレンとの間に粘土ライナーを配置し、また
第１ジオシンセティック・メンブレンと第２ジオシンセティック・メンブレンとを離隔するように、第１ジオシンセティック・メンブレンと粘土ライナーとの間にスペーサ手段を配置し、それによって、第１ジオシンセティック・メンブレンと粘土ライナーとの間に流体通路を規定する、
請求項４５に記載の方法。
【請求項４８】
第１ジオシンセティック・メンブレンの上方に第２ジオシンセティック・メンブレンを配置する、請求項４６または４７に記載の方法。
【請求項４９】
第１ジオシンセティック・メンブレンおよび第２ジオシンセティック・メンブレンの周囲を相互に封止する、請求項４８に記載の方法。
【請求項５０】
スペーサ手段が、少なくとも１種類の非合成材料から成る排水層を有して成る、請求項４４〜４９のいずれかに記載の方法。
【請求項５１】
スペーサ手段が、ジオシンセティック材料から成る、請求項４４〜４９のいずれかに記載の方法。
【請求項５２】
スペーサ手段が、プラスチック材料から形成される、突起部を有するメンブレンを有して成る、請求項５１に記載の方法。
【請求項５３】
流体移送手段を用いて流体を移動させる方法であって、
該流体移送手段が、流体通路の出口に接続され、入口圧力よりも低い出口圧力を供するように操作できるようになっており、それによって、流体を該流体通路を通るように該入口から該出口へと移動させる、請求項４４〜５２に記載の方法。
【請求項５４】
流体が空気を含んで成る、請求項４４〜５３のいずれかに記載の方法。
【請求項５５】
入口で供される空気ストリーム内に物質を同伴させ、空気と該物質とから成る混合物を含んで成る流体を流体通路を通るように移動させる工程を含む、請求項４４〜５４のいずれかに記載の方法。
【請求項５６】
物質が水である、請求項５５に記載の方法。
【請求項５７】
流体通路の入口で導入される流体の温度を制御する工程を含む、請求項４４〜５６のいずれかに記載の方法。
【請求項５８】
出口にて取り出された流体およびその中の同伴された汚染物質を処理する工程を含む、請求項４４〜５７のいずれかに記載の方法。
【請求項５９】
少なくとも２つのバリア層およびそれらの間に規定される流体通路を有して成るジオテクニカル・バリアから汚染物質をフラッシングする方法であって、該流体通路を通るように流体を移動させ、バリア層の１つに浸透した汚染物質を流体流れストリームに同伴させることを含む方法。
【請求項６０】
ジオテクニカル・バリアの粘土ライナーに水分を供給する方法であって、
ジオテクニカル・バリアが、粘土ライナーを一方に含む第１バリア層および第２バリア層を有して成り、該粘土ライナーと、該粘土ライナーを含まないバリア層との間に規定される流体通路を通るように、水分供給用の流体を移動させることを含む方法。
【手続補正２】
【補正対象書類名】明細書
【補正対象項目名】００２２
【補正方法】変更
【補正の内容】
【００２２】
本発明の方法は、流体通路の入口で導入される流体の温度を制御することを更に含んでいてもよい。
【手続補正３】
【補正対象書類名】明細書
【補正対象項目名】００２３
【補正方法】変更
【補正の内容】
【００２３】
更に、本発明の方法は、出口にて取り出された流体およびその中の同伴された汚染物質を処理する工程を含んでいてもよい。
【手続補正４】
【補正対象書類名】明細書
【補正対象項目名】００３１
【補正方法】変更
【補正の内容】
【００３１】
図１〜４に示す態様において、ジオテクニカル・バリア１０は、汚染物１４の輪郭に合うように、基層１６上に敷設される第１下方メンブレン（プラスチック材料から成る）１８を有して成る。下方メンブレン１８が所定の位置に配置され、その継ぎ目が接合または別法にて接着剤で封止されると、排出層２０が下方メンブレン１８の上に置かれることになる。排出層２０は、石砂利２２を有して成る。しかしながら、ジオスペーサ、例えば合成プラスチック材料または他の適当な材料から成るネットまたは突起部を有するメンブレンによって、排出層２０を設けてもよいことは理解されよう。排出層２０が所定の位置に配置されると、排出層２０の上方の所定の位置にジオコンポジット粘土ライナー（ＧＣＬ）２４が配置されることになる。ジオコンポジット粘土ライナーは、ジオシンセティック材料と組み合わされて用いられる透水係数の低い土壌（粘土またはベントナイトなど）を含んで成る。ジオコンポジット・ライナーの構造は、当業者に周知であるので、図面では詳細に示していない。ＧＣＬ２４のベントナイト層は、排出層２０と接触しており、排出層２０と流体連通状態にある。最終的には、上方ジオシンセティック・メンブレン２６が、ＧＣＬ２４の上に更に配置され、所定の位置に固定されることになる。用いるジオメンブレンの種類に応じて、ジオメンブレン１８,２６を種々に固定してよいので、本態様の種々の固定方法については説明を行わない。
【手続補正５】
【補正対象書類名】明細書
【補正対象項目名】００３３
【補正方法】変更
【補正の内容】
【００３３】
バリア１０の出口３４においては、出口パイプ４８が、真空ポンプ５０に接続されている一方、排出層２０と流体連通状態にある。入口３２と出口３４とを有する閉鎖排出層２０によって、入口３２と出口３４との間で流体が移動できる流体通路５２が設けられていることを理解されよう。真空ポンプ５０によって、流体通路５２の出口３４の流体圧力が入口３２の流体圧力よりも低くされる。従って、真空ポンプ５０が操作されると、水分（または湿気）を含んだ空気が流体通路５２（ＧＣＬ２４のベントナイトと流体連通状態にある）内に引き込まれることになる。このため、バリア１０を敷設した後に粘土ライナー２４のベントナイトに水分を供給することが可能となる。更に、必要に応じて、時々または連続的にベントナイト層に水分を再度供給することもできる。
【手続補正６】
【補正対象書類名】明細書
【補正対象項目名】００３７
【補正方法】変更
【補正の内容】
【００３７】
バリア１０の通路５２の出口３４から排出される流体に含まれている汚染物質を除去および処分するために、真空ポンプ５０の出口５４を廃棄物処理システム（図示せず）に接続してもよい。上方ジオシンセティック・メンブレン２６に浸透した汚染物質であって、流体通路５２内にしばらくの間存在することになる汚染物質（特に、揮発性有機化合物または他の毒性流体の形態を有する汚染物質）は、流体通路５２を通る流体（空気／水混合物から成る流体）の流れに同伴されることが理解されよう。この場合、特に有害な物質（または化合物）は、バリア１０を透過（または浸透）せず周囲の環境へと排出されない。同伴により運ばれる物質は、処分すべく除去してよく、または、廃棄物処理場１２の廃棄エリアへとリサイクルしてもよい。更に、排出された流体を分析することによって、バリア１０のリークを容易に発見することができ、また、バリア１０を通過する物質の組成を容易に知ることができる。
【手続補正７】
【補正対象書類名】明細書
【補正対象項目名】００３９
【補正方法】変更
【補正の内容】
【００３９】
本発明によって、廃棄物処理場および埋立処分地などに使用するのに適当な種々の利点を有するジオテクニカル・バリアが供されることになる。バリア１０においては、ＧＣＬ２４の上方に上方ジオメンブレン２６を設けた後、ＧＣＬ２４を含む上層に水分を供給することができる。これは、排出層２０または空間内に流体（水、または水分が飽和した空気）を導入し、それによって、そのような領域を飽和させてＧＣＬ２４に水分を供給するということを通じて達成される。その場合、陽圧の流体を用いると、バルーンのようにバリア１０が膨張しやすくなり、設備が損なわれることになるので、陰圧を用いて水分供給用の流体を導入することが好ましい。更に、敷設されるメンブレンがジオメンブレンの場合、そのメンブレンをフラットにしてしわ及び折り目を防止する必要がある。その場合、外界温度よりも十分に低い温度の流体を用いると、ジオメンブレン２６の熱膨張が減じられることになる。従って、ジオメンブレン２６が冷却されて、しっかりと引き延ばされてフラットになるので、敷設プロセスが相当にシンプルになる。太陽に曝されるジオメンブレンの温度は、容易に８０℃もの温度にまで達する。例えば２５℃で排出層２０を通るように引き込まれた冷却空気は、メンブレン２６の熱膨張を減じる効果を多大に発揮するものと考えられる。更に、分解が生じる埋立地では、廃棄物の温度が容易に６０℃のオーダーに達する。一般的に、曝されるジオメンブレンの温度が高くなると、ジオメンブレンがより速く劣化することにつながる。廃棄物処理場（分解が生じているような廃棄物処理場）が使用されている期間中で冷却空気を導入して、上方に配置された層１８および下方に配置された層２６が曝される温度を維持または定期的に減じると、ジオメンブレンの寿命が延びることになる。好ましくは、ジオメンブレン１８,２６の温度は、約１０〜２５℃の外界温度に近づくように６０℃よりも低い温度で維持される。外側メンブレンの間または外層の間に流体を引き込むことの更なる利点は、ジオメンブレン層、土壌層などを通って拡散し得る揮発性有機化合物が除去されるということである。揮発性有機化合物は、濃度の高い領域から濃度の低い領域へと拡散する。従って、排出層２０から揮発性有機化合物を連続的に取り除くことによって、拡散境界（ｄｉｆｆｕｓｉｏｎ  ｂｏｕｎｄａｒｙ）が形成され、環境に放出される前に揮発性有機化合物が除去されることになる。このことは、流体（この場合、典型的には空気）を排出層２０を通るように流して、拡散する揮発性有機化合物を除去することによって達成される。揮発性有機化合物を除去した後においては、その揮発性有機化合物を種々の方法で処理することができ、例えば、揮発性有機化合物を上方に配置されている廃棄物またはラグーンに再度導入することが考えられる。飽和した空気として流体を導入するには、空気ストリームの温度を十分に高くする必要があり、一般的に外界の空気温度よりも高くする必要がある。典型的には、砂もしくは選択された廃棄物から構成される第一の層または保護層で上方ジオメンブレン２６が覆われていると、より暖かい飽和空気が上方メンブレンまたは上層を構成するより低温の材料に接するような場所では、メンブレン２６の方が相対的に低温となり得るので凝結が容易に生じることになる。